Podtech/llm-jp-corpus-v4-ja_patent huggingface dataset:
【手続補正書】
【提出日】令和3年3月17日(2021.3.17)
【手続補正１】
【補正対象書類名】明細書
【補正対象項目名】０００７
【補正方法】変更
【補正の内容】
【０００７】
前記課題を解決するために、本発明に係る中留は、
機器ケースの一端側に取り付けられた第１のバンドと他端側に取り付けられた第２のバ ンドとを連結させるバンドの中留であって、
前記バンドの延在方向に沿って配置された複数の係止凹部と、
前記複数の係止凹部のいずれかに係止される係止凸部を有し前記バンドの幅方向の外側に向けて付勢されている一対のプッシュボタンを備え、前記プッシュボタンが付勢状態に抗して押し込まれることで前記係止凸部が前記係止凹部のいずれかに係止された状態が解除されて前記連結を解除可能とする一方で、押し込まれた状態から解放されることで前記係止凸部が前記係止凹部のうちのいずれかに係止されて前記連結が固定化されるプッシュユニットと、
前記プッシュボタンの押し込み状態を禁止する第１位置から前記プッシュボタンの押し込み状態を許可する第２位置に移行可能な移動体と、
を備え、
前記移動体が第２位置をとるときに、前記係止凸部及び前記係止凹部のいずれか一方が他方に対して相対的にバンドの延在方向に沿って移動可能となるように構成されていることを特徴としている。 
【手続補正２】
【補正対象書類名】特許請求の範囲
【補正対象項目名】全文
【補正方法】変更
【補正の内容】
【特許請求の範囲】
【請求項１】
機器ケースの一端側に取り付けられた第１のバンドと他端側に取り付けられた第２のバンドとを連結させるバンドの中留であって、
前記バンドの延在方向に沿って配置された複数の係止凹部と、
前記複数の係止凹部のいずれかに係止される係止凸部を有し前記バンドの幅方向の外側に向けて付勢されている一対のプッシュボタンを備え、前記プッシュボタンが付勢状態に抗して押し込まれることで前記係止凸部が前記係止凹部のいずれかに係止された状態が解除されて前記連結を解除可能とする一方で、押し込まれた状態から解放されることで前記係止凸部が前記係止凹部のうちのいずれかに係止されて前記連結が固定化されるプッシュユニットと、
前記プッシュボタンの押し込み状態を禁止する第１位置から前記プッシュボタンの押し込み状態を許可する第２位置に移行可能な移動体と、
を備え、
前記移動体が第２位置をとるときに、前記係止凸部及び前記係止凹部のいずれか一方が他方に対して相対的にバンドの延在方向に沿って移動可能となるように構成されていることを特徴とする中留。
【請求項２】
前記移動体は、前記プッシュボタンを前記第２位置よりも手前まで押し込むことが可能な第３位置をさらに取り得るようになっており、
前記第３位置にあるときには、前記プッシュユニットは前記バンドの取り外しが可能な解除状態となり、前記係止凸部は前記係止凹部のいずれかに係止された状態が維持されるように構成されていることを特徴とする請求項１に記載の中留。
【請求項３】
前記移動体は、
外部に露出して外側から操作可能なレバー部と、
前記レバー部の操作に応じて変位し、前記プッシュボタンの押し込み量を規制する突当部と、
を備えていることを特徴とする請求項１又は請求項２に記載の中留。
【請求項４】
請求項１から請求項３のいずれか一項に記載の中留を備える時計バンドと、
前記時計バンドが取り付けられる時計ケースと、
前記時計ケースの視認側に配置される表示部と、
を備えていることを特徴とする時計。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う抽選処理を所定の周期で定期的に実行される定期処理内で実行する遊技制御手段と、
前記遊技制御手段が有する遊技に関連する情報を記憶可能な記憶手段の内の少なくとも一部の記憶領域を初期化するために操作される初期化手段と、
遊技機の性能を表示可能な遊技機性能表示手段と、
前記遊技制御手段が行う制御に関する設定値を設定可能とするために操作される設定操作手段と、を備える遊技機であって、
前記記憶手段は、遊技に関連する情報を記憶可能な第１の記憶領域と、前記第１の記憶領域とは異なる第２の記憶領域とを少なくとも有し、
前記第１の記憶領域は、前記設定操作手段が操作可能な設定処理が実行される場合及び所定のタイミングで前記初期化手段の操作を検出した場合に初期化することが可能な記憶領域であり、
前記第２の記憶領域は、前記遊技機性能表示手段に表示するための情報が記憶されるとともに、前記第２の記憶領域が異常と判定されることで初期化されるものの、前記初期化手段の操作を検出した場合及び前記第１の記憶領域が異常と判定された場合のいずれの場合でも初期化されない記憶領域であって、
前記遊技制御手段は、
前記第２の記憶領域が異常と判定されることで前記第２の記憶領域が初期化された場合には、前記定期処理内で実行される前記抽選処理の実行を禁止し、前記抽選処理の実行を禁止した後に発生する電源断からの復旧時において、前記設定操作手段が操作されていないと判定した場合には、前記抽選処理の実行禁止状態を継続し、前記設定操作手段が操作されていると判定した場合には、前記定期処理の実行を許容するとともに、当該定期処理内で実行される前記抽選処理を実行可能とし、
通常遊技状態において、リセット発生手段によってリセットが発生した場合、前記設定操作手段が操作可能な設定処理の実行に基づいて、前記記憶手段を初期化した後に通常の遊技の実行が可能となるようにする一方、電源投入時に実行される電源投入時処理の所定のタイミングにおいて、前記リセット発生手段によってリセットが発生した場合、前記記憶手段を初期化することなく、通常の遊技の実行を可能とする
ことを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う抽選処理を所定の周期で定期的に実行される定期処理内で実行する遊技制御手段と、前記遊技制御手段が有する遊技に関連する情報を記憶可能な記憶手段の内の少なくとも一部の記憶領域を初期化するために操作される初期化手段と、遊技機の性能を表示可能な遊技機性能表示手段と、前記遊技制御手段が行う制御に関する設定値を設定可能とするために操作される設定操作手段と、を備える遊技機であって、前記記憶手段は、遊技に関連する情報を記憶可能な第１の記憶領域と、前記第１の記憶領域とは異なる第２の記憶領域とを少なくとも有し、前記第１の記憶領域は、前記設定操作手段が操作可能な設定処理が実行される場合及び所定のタイミングで前記初期化手段の操作を検出した場合に初期化することが可能な記憶領域であり、前記第２の記憶領域は、前記遊技機性能表示手段に表示するための情報が記憶されるとともに、前記第２の記憶領域が異常と判定されることで初期化されるものの、前記初期化手段の操作を検出した場合及び前記第１の記憶領域が異常と判定された場合のいずれの場合でも初期化されない記憶領域であって、前記遊技制御手段は、  前記第２の記憶領域が異常と判定されることで前記第２の記憶領域が初期化された場合には、前記定期処理内で実行される前記抽選処理の実行を禁止し、前記抽選処理の実行を禁止した後に発生する電源断からの復旧時において、前記設定操作手段が操作されていないと判定した場合には、前記抽選処理の実行禁止状態を継続し、前記設定操作手段が操作されていると判定した場合には、前記定期処理の実行を許容するとともに、当該定期処理内で実行される前記抽選処理を実行可能とし、通常遊技状態において、リセット発生手段によってリセットが発生した場合、前記設定操作手段が操作可能な設定処理の実行に基づいて、前記記憶手段を初期化した後に通常の遊技の実行が可能となるようにする一方、電源投入時に実行される電源投入時処理の所定のタイミングにおいて、前記リセット発生手段によってリセットが発生した場合、前記記憶手段を初期化することなく、通常の遊技の実行を可能とすることを特徴とする遊技機。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
内視鏡の外側部分上で摺動させられるように適合されるスリーブであって、近位端と遠位端とを備えるスリーブと、
前記スリーブに摺動可能に設置される一対のプッシュチューブであって、それらの各々は近位端と遠位端とを備える、一対のプッシュチューブと、
前記一対のプッシュチューブの前記遠位端に固着される前方バルーンであって、前記前方バルーンが収縮状態および膨張状態をとることができる、前方バルーンと、
前記スリーブに対して前記一対のプッシュチューブを移動させるために、前記一対のプッシュチューブの近位端に固着されるプッシュチューブハンドルと
を備える
装置。
【請求項２】
前記スリーブの近位端のところで前記スリーブに固着される基部をさらに備え、前記プッシュチューブハンドルが前記スリーブに対して前記一対のプッシュチューブを移動させるときに、前記基部が前記プッシュチューブハンドルを支持および誘導するように構成される、請求項１に記載の装置。
【請求項３】
前記基部は延長部分を備え、前記延長部分がセンタースロットおよび一対のサイドスロットを備える請求項２に記載の装置。
【請求項４】
前記延長部分は、前記前方バルーンを膨張および収縮させるための少なくとも１つの装着具を備える請求項３に記載の装置。
【請求項５】
前記プッシュチューブハンドルがＣ形ボディを備え、前記Ｃ形ボディがそれに設置される中央ロック要素および一対のフィンガーグリップを有し、それによって前記プッシュチューブハンドルは、（ｉ）前記中央ロック要素によって前記延長部分に対して定位置でロックされ得て、それにより前記前方バルーンを定位置でロックでき、かつ（ｉｉ）前記延長部分に対して遠位側または近位側に移動させられ得て、それにより前方バルーンを遠位側または近位側に移動させることができる請求項３に記載の装置。
【請求項６】
前記中央ロック要素は、ねじシャフトおよびねじノブを備える請求項５に記載の装置。
【請求項７】
前記プッシュチューブハンドルは、前記基部の前記延長部分内に設置され、それによって前記ねじシャフトが前記延長部分のセンタースロット内で摺動可能に受けられ、前記フィンガーグリップが前記延長部分の1対のサイドスロット内で摺動可能に受けられる請求項６に記載の装置。
【請求項８】
前記ねじノブが前記延長部分の外側表面に係合するまで前記ねじノブを回すことにより、前記プッシュチューブハンドルは前記延長部分にロックされる請求項７に記載の装置。
【請求項９】
前記フィンガーグリップにねじりを加えることにより前記前方バルーンにねじりが加えられ得る請求項７に記載の装置。
【請求項１０】
前記スリーブに固着される後部バルーンをさらに備える請求項１に記載の装置。
【請求項１１】
前記内視鏡は近位端と遠位端とを備え、前記内視鏡の近位端はハンドルを備え、前記スリーブが、前記内視鏡の前記遠位端に隣接するポイントから前記内視鏡の前記ハンドルに隣接するポイントまで、前記内視鏡を実質的に覆うようにサイズ決定される、請求項１に記載の装置。
【請求項１２】
前記スリーブが前記内視鏡の前記外側部分と締まり嵌めを形成するように構成され、その結果、前記スリーブが前記内視鏡の上に設置されるときに前記内視鏡の上を摺動するが、前記内視鏡の使用中には定位置に留まるようになる、請求項１に記載の装置。
【請求項１３】
前記スリーブと一体に形成される膨張／収縮チューブをさらに備える、請求項１に記載の装置。
【請求項１４】
前記スリーブが、前記一対のプッシュチューブを受けるための一対の通路を備える、請求項１に記載の装置。
【請求項１５】
前記一対の通路が前記スリーブと一体に形成される、請求項１４に記載の装置。
【請求項１６】
前記一対の通路の各々が、プッシュチューブを受ける支持チューブを受ける、請求項１４に記載の装置。
【請求項１７】
前記スリーブが器械を受けるための管腔を備える、請求項１に記載の装置。
【請求項１８】
前記管腔が前記スリーブと一体に形成される、請求項１７の記載の装置。
【請求項１９】
前記管腔が、器械を受ける器械誘導チューブを受ける、請求項１７に記載の装置。
【請求項２０】
前記内視鏡が操縦可能であり、前記操縦可能な内視鏡は連接部分を備え、さらに、前記後部バルーンが、前記操縦可能な内視鏡の前記連接部分の近位側において前記スリーブに固着される、請求項１０に記載の装置。
【請求項２１】
前記後部バルーンが、近位側開口部および遠位側開口部を有するボディと、前記ボディから遠位側に延在する遠位側延長部分と、前記ボディから近位側に延在する近位側延長部分とを備え、さらに、前記後部バルーンが、前記遠位側延長部分を反転させて前記ボディの内部へと入れてさらには前記近位側延長部分の内部へと入れることにより、形成される、請求項１０に記載の装置。
【請求項２２】
前記前方バルーンが、近位側開口部および遠位側開口部を有するボディと、一対のローブを備えるキー形状断面を有する近位側延長部分と、円形断面を有する遠位側延長部分とを備え、さらに、前記前方バルーンが、前記遠位側延長部分を反転させて前記ボディの内部へと入れてさらには前記近位側延長部分の内部へと入れることにより、形成される、請求項１に記載の装置。
【請求項２３】
前記遠位側延長部分が反転されて前記ボディの内部へと入れられる前に、前記一対のプッシュチューブが前記ローブ内に配置される、請求項２２に記載の装置。
【請求項２４】
少なくとも１つの押出材挿入物が前記ローブに隣接するように配置される、請求項２２に記載の装置。
【請求項２５】
前記スリーブ、前記後部バルーン、前記一対のプッシュチューブ、および前記前方バルーンのうちの少なくとも１つが、可視化可能であるマーカーを備える、請求項１０に記載の装置。
【請求項２６】
前記前方バルーンを選択的に膨張／収縮させるための膨張機構をさらに備える、請求項１に記載の装置。
【請求項２７】
前記一対のプッシュチューブは、それらの遠位端のところで高架式プッシュチューブブリッジにより互いに接続され、前記高架式プッシュチューブブリッジが内視鏡をその中で入れ子状にするように構成される、請求項１に記載の装置。
【請求項２８】
前記高架式プッシュチューブブリッジはリングの形態である、請求項２７に記載の装置。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
被加工体と、
前記被加工体の外周部に沿って連続的に配され、前記外周部の少なくとも一部に直接接するリング形状の保持部材と、
を備え、
前記保持部材は、接着材を使用することなく、前記被加工体に取り付けられており、
前記保持部材は、前記被加工体の厚さ方向の中央に配される、
被加工ユニット。
【請求項２】
前記保持部材の厚さは、前記被加工体の厚さよりも薄い、請求項１に記載の被加工ユニット。
【請求項３】
前記保持部材は、２以上の部品から構成される、請求項１又は２に記載の被加工ユニット。
【請求項４】
前記保持部材の各部品は、それぞれ、凹部又は凸部を有し、
前記各部品は、前記凹部と前記凸部とを嵌合するように配される、請求項３に記載の被加工ユニット。
【請求項５】
前記被加工体はセラミック、金属又は樹脂である、請求項１〜４のいずれか一項に記載の被加工ユニット。
【請求項６】
前記被加工体は、ジルコニア結晶粒子が完全に焼結するに至っていない仮焼体である、請求項１〜５のいずれか一項に記載の被加工ユニット。
【請求項７】
前記保持部材はプラスチックである、請求項１〜６のいずれか一項に記載の被加工ユニット。
【請求項８】
前記被加工体は、前記被加工体の加工によって形成され、前記被加工体の外縁部に接続された加工物を有する、請求項１〜７のいずれか一項に記載の被加工ユニット。
【請求項９】
被加工体を準備する工程と、
リング形状を有する保持部材を準備する工程と、
前記保持部材を加熱して膨張させる工程と、
前記保持部材のリングに前記被加工体をはめ込む工程と、
前記保持部材を冷却して収縮させて、前記被加工体の外周部に前記保持部材を取り付ける工程と、
を含み、
前記保持部材は、前記外周部に沿って連続的に配され、前記外周部の少なくとも一部に直接接し、
前記保持部材は、接着材を使用することなく、前記被加工体に取り付けられており、
前記保持部材は、前記被加工体の厚さ方向の中央に配される、
被加工ユニットの製造方法。
【請求項１０】
前記保持部材を膨張させる工程において、前記保持部材を６０℃〜１５０℃に加熱する、請求項９に記載の被加工ユニットの製造方法。
【請求項１１】
前記保持部材はエンジニアリングプラスチックを含む、請求項９又は１０に記載の被加工ユニットの製造方法。
【手続補正２】
【補正対象書類名】明細書
【補正対象項目名】０００９
【補正方法】変更
【補正の内容】
【０００９】
本発明の第１視点によれば、被加工ユニットは、被加工体と、被加工体の外周部の少なくとも一部に配され、外周部の少なくとも一部に直接接する保持部材と、を備える。
前記第１視点の変形として、被加工ユニットは、被加工体と、被加工体の外周部に沿って連続的に配され、外周部の少なくとも一部に直接接する保持部材と、を備える。
前記第１視点のさらなる変形として、被加工ユニットは、被加工体と、前記被加工体の外周部に沿って連続的に配され、前記外周部の少なくとも一部に直接接するリング形状の保持部材と、を備え、前記保持部材は、接着材を使用することなく、前記被加工体に取り付けられており、前記保持部材は、前記被加工体の厚さ方向の中央に配される。
【手続補正３】
【補正対象書類名】明細書
【補正対象項目名】００１０
【補正方法】変更
【補正の内容】
【００１０】
本発明の第２視点によれば、被加工ユニットの製造方法は、被加工体を準備する工程と、リング形状を有する保持部材を準備する工程と、保持部材を加熱して膨張させる工程と、保持部材のリングに被加工体をはめ込む工程と、保持部材を冷却して収縮させて、被加工体の外周部に保持部材を取り付ける工程と、を含む。
前記第２視点の変形として、被加工ユニットの製造方法は、被加工体を準備する工程と、リング形状を有する保持部材を準備する工程と、保持部材を加熱して膨張させる工程と、保持部材のリングに被加工体をはめ込む工程と、保持部材を冷却して収縮させて、被加工体の外周部に保持部材を取り付ける工程と、を含み、前記保持部材は、前記外周部に沿って連続的に配される。
前記第２視点のさらなる変形として、被加工ユニットの製造方法は、被加工体を準備する工程と、リング形状を有する保持部材を準備する工程と、前記保持部材を加熱して膨張させる工程と、前記保持部材のリングに前記被加工体をはめ込む工程と、前記保持部材を冷却して収縮させて、前記被加工体の外周部に前記保持部材を取り付ける工程と、を含み、前記保持部材は、前記外周部に沿って連続的に配され、前記外周部の少なくとも一部に直接接し、前記保持部材は、接着材を使用することなく、前記被加工体に取り付けられており、前記保持部材は、前記被加工体の厚さ方向の中央に配される。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
第１区間よりも遊技者に有利な第２区間に遊技区間を設定する区間設定手段と、
前記第２区間において遊技者に有利な有利遊技状態に滞在させる有利設定手段と、
前記第２区間において実行されたゲーム数が上限ゲーム数となったことに基づいて当該第２区間を終了させる区間終了手段と、
前記第２区間において実行されたゲーム数が前記上限ゲーム数となったことに基づいて当該第２区間が終了する場合、前記有利遊技状態を終了させる手段と、
を備え、
前記区間設定手段は、前記第２区間において実行されたゲーム数が前記上限ゲーム数よりも少ないゲーム数として設定された継続可能ゲーム数以下である状況で前記有利遊技状態が終了したことに基づいて、その後も前記第２区間が継続する第２区間継続状況となるようにすることが可能な区間継続手段を備え、
当該区間継続手段は、前記第２区間継続状況において実行されたゲーム数が継続終了ゲーム数となった場合に当該第２区間継続状況を終了させることを特徴とする遊技機。
【請求項２】
遊技価値を利用して遊技が行われることを特徴とする請求項１に記載の遊技機。
【手続補正２】
【補正対象書類名】明細書
【補正対象項目名】０００８
【補正方法】変更
【補正の内容】
【０００８】
上記課題を解決すべく請求項１記載の発明は、第１区間よりも遊技者に有利な第２区間に遊技区間を設定する区間設定手段と、
前記第２区間において遊技者に有利な有利遊技状態に滞在させる有利設定手段と、
前記第２区間において実行されたゲーム数が上限ゲーム数となったことに基づいて当該第２区間を終了させる区間終了手段と、
前記第２区間において実行されたゲーム数が前記上限ゲーム数となったことに基づいて当該第２区間が終了する場合、前記有利遊技状態を終了させる手段と、
を備え、
前記区間設定手段は、前記第２区間において実行されたゲーム数が前記上限ゲーム数よりも少ないゲーム数として設定された継続可能ゲーム数以下である状況で前記有利遊技状態が終了したことに基づいて、その後も前記第２区間が継続する第２区間継続状況となるようにすることが可能な区間継続手段を備え、
当該区間継続手段は、前記第２区間継続状況において実行されたゲーム数が継続終了ゲーム数となった場合に当該第２区間継続状況を終了させることを特徴とする。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
排ガス（Ｇ）が流入する流入端面（１５）から上記排ガスが流出する流出端面（１６）まで延びる複数のセル（１１）と、
複数の上記セルを区画形成する多孔質の隔壁（１２）と、
複数の上記セルのうち上記排ガスが流出する流出セル（１１２）における上記流入端面側の開口部を目封止する流入側目封止部（１３１）と、
複数の上記セルのうち上記排ガスが流入する流入セル（１１１）における上記流出端面側の開口部を目封止する流出側目封止部（１３２）と、を有しており、
上記流入側目封止部の目封止長さの平均値は、上記流出側目封止部の目封止長さの平均値よりも大きく、
上記流入側目封止部の気孔率は、６０％未満であり、
上記隔壁の気孔率は、６０％以上７０％以下であり、
上記流入側目封止部の気孔径分布において累積気孔容積が５０％となる気孔径をｄ５０Ｐｉｎ、上記隔壁の気孔径分布において累積気孔容積が５０％となる気孔径をｄ５０Ｂとしたとき、
上記流入側目封止部の気孔径ｄ５０Ｐｉｎは、１８μｍ未満であり、
上記隔壁の気孔径ｄ５０Ｂは、１８μｍ以上２５μｍ以下である、
排ガス浄化フィルタ（１）。
【請求項２】
上記流入側目封止部の目封止長さの平均値と上記流出側目封止部の目封止長さの平均値とを合計した合計目封止長さが、９ｍｍ以下である、請求項１に記載の排ガス浄化フィルタ。
【請求項３】
ガソリンエンジンの排気通路に配置されて用いられる、請求項１または２に記載の排ガス浄化フィルタ。
【手続補正２】
【補正対象書類名】明細書
【補正対象項目名】０００８
【補正方法】変更
【補正の内容】
【０００８】
本発明の一態様は、排ガス（Ｇ）が流入する流入端面（１５）から上記排ガスが流出する流出端面（１６）まで延びる複数のセル（１１）と、
複数の上記セルを区画形成する多孔質の隔壁（１２）と、
複数の上記セルのうち上記排ガスが流出する流出セル（１１２）における上記流入端面側の開口部を目封止する流入側目封止部（１３１）と、
複数の上記セルのうち上記排ガスが流入する流入セル（１１１）における上記流出端面側の開口部を目封止する流出側目封止部（１３２）と、を有しており、
上記流入側目封止部の目封止長さの平均値は、上記流出側目封止部の目封止長さの平均値よりも大きく、
上記流入側目封止部の気孔率は、６０％未満であり、
上記隔壁の気孔率は、６０％以上７０％以下であり、
上記流入側目封止部の気孔径分布において累積気孔容積が５０％となる気孔径をｄ５０Ｐｉｎ、上記隔壁の気孔径分布において累積気孔容積が５０％となる気孔径をｄ５０Ｂとしたとき、
上記流入側目封止部の気孔径ｄ５０Ｐｉｎは、１８μｍ未満であり、
上記隔壁の気孔径ｄ５０Ｂは、１８μｍ以上２５μｍ以下である、
排ガス浄化フィルタ（１）にある。
【手続補正３】
【補正対象書類名】明細書
【補正対象項目名】００２７
【補正方法】変更
【補正の内容】
【００２７】
排ガス浄化フィルタ１は、図２等に例示されるように、流入側目封止部１３１の目封止長さの平均値が、流出側目封止部１３２の目封止長さの平均値よりも大きい構成とされている。この構成によれば、飛散物によって流入側目封止部１３１が削れて貫通してしまうまでの削れ代を確保しやすくなる。そのため、この構成によれば、排ガス浄化フィルタ１をＧＰＦとして適用した場合における耐久性を向上させやすくなり、ＰＭ捕集機能を長期にわたって確保しやくなる。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
遊技球が転動する遊技領域を形成する遊技盤と、
前記遊技盤が装着される枠体と、
前記枠体の前面側に設けられ、前記枠体に対して開閉可能な扉枠と、
所定の発射装置によって前記遊技領域に発射された遊技球を前記遊技盤外において回収し、該回収した遊技球を再び前記発射装置に誘導して遊技に使用する循環機構と、を具備する遊技機において、
前記枠体には、前記循環機構とは別途設けられた排出球受箱と、前記循環機構から遊技球を前記排出球受箱に導く排出経路を備え、
前記排出球受箱は、前記枠体に対して前記扉枠が開放状態にある場合に当該遊技機の前方から着脱可能に配置される
ことを特徴とする遊技機。
【手続補正２】
【補正対象書類名】明細書
【補正対象項目名】０００７
【補正方法】変更
【補正の内容】
【０００７】
ところで、上記のような循環経路を備えた遊技機では、遊技機外に遊技球を持つ必要がないため、遊技場の負担は大幅に少なくなる。
【手続補正３】
【補正対象書類名】明細書
【補正対象項目名】０００８
【補正方法】変更
【補正の内容】
【０００８】
しかし、まだ遊技場の負担を減らすことについて改良の余地がある。本発明は、循環経路を備えた遊技機において、遊技場の負担を減らすことを課題とする。
【手続補正４】
【補正対象書類名】明細書
【補正対象項目名】０００９
【補正方法】変更
【補正の内容】
【０００９】
次の手段により課題を解決する。
（手段１）
遊技球が転動する遊技領域を形成する遊技盤と、
前記遊技盤が装着される枠体と、
前記枠体の前面側に設けられ、前記枠体に対して開閉可能な扉枠と、
所定の発射装置によって前記遊技領域に発射された遊技球を前記遊技盤外において回収し、該回収した遊技球を再び前記発射装置に誘導して遊技に使用する循環機構と、を具備する遊技機において、
前記枠体には、前記循環機構とは別途設けられた排出球受箱と、前記循環機構から遊技球を前記排出球受箱に導く排出経路を備え、
前記排出球受箱は、前記枠体に対して前記扉枠が開放状態にある場合に当該遊技機の前方から着脱可能に配置されることを特徴としている。
【手続補正５】
【補正対象書類名】明細書
【補正対象項目名】００１０
【補正方法】変更
【補正の内容】
【００１０】
請求項１の構成によれば、遊技場の負担を減らすことが出来る。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
液体を送給する流路を備えた分析装置において液漏れが生じている箇所を確認するための液漏れ検査方法であって、
検査対象の流路を赤外線カメラにより撮影して前記検査対象の流路の温度分布を表す画像を取得し、
前記画像において、周辺よりも低温であることに基づいて液漏れが生じている箇所を特定する、液漏れ検査方法。
【請求項２】
前記分析装置が液体クロマトグラフである、請求項１に記載の液漏れ検査方法。
【請求項３】
前記検査対象の流路の温度分布を表す画像と、前記検査対象の流路の可視光画像の合成画像を表示する、請求項１又は２に記載の液漏れ検査方法。
【請求項４】
液体を送給する流路を備えた分析装置において液漏れが生じている箇所を確認するための液漏れ検査装置であって、
検査対象の流路を視野に捉えるように配置される赤外線カメラと、
前記赤外線カメラにより取得された、前記検査対象の流路の温度分布を表す画像を表示する表示部と
を備える液漏れ検査装置。
【請求項５】
前記分析装置が液体クロマトグラフである、請求項４に記載の液漏れ検査装置。
【請求項６】
さらに、
前記検査対象の流路を視野に捉えるように配置される可視光カメラを備え、
前記表示部が、前記検査対象の流路の温度分布を表す画像と、前記検査対象の流路の可視光画像とを合成した画像を表示する、請求項４又は５に記載の液漏れ検査装置。
【請求項７】
さらに、
前記検査対象の流路の温度分布を表す画像を解析し、液漏れの有無を判定する判定部
を備える、請求項４から６のいずれかに記載の液漏れ検査装置。
【手続補正２】
【補正対象書類名】明細書
【補正対象項目名】００２４
【補正方法】変更
【補正の内容】
【００２４】
そこで、表示制御部７２２により合成画像が作成されると、判定部７２３は、赤外線画像において周辺よりも予め決められた温度（例えば5℃）以上、低温である領域（隣接する所定数以上の画素に対応する領域）が存在するか否かを判定する。そして、周辺よりも低温である領域が存在している場合には液漏れが生じていると判定し、表示部７４に表示されている画像の該当箇所に所定の印を表示するとともに、液漏れが生じている旨のメッセージを表示する。ここでは判定部７２３が合成画像に基づいて液漏れの有無を判定する構成としたが、もちろん、使用者が自ら表示部７４に表示される合成画像を確認して液漏れを判定することもできる。
【手続補正３】
【補正対象書類名】図面
【補正対象項目名】図２
【補正方法】変更
【補正の内容】
【図２】
2020134416.tif 000001
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
空調風を供給する複数の空調機であって、無線信号を発信可能な複数の空調機と、
空気温度を検出する複数の温度センサであって、無線信号を発信可能な複数の温度センサと、
前記複数の温度センサ及び前記複数の空調機それぞれが発信する無線信号を利用して、前記複数の温度センサの位置及び前記複数の空調機の位置を認識する位置演算部と、
前記位置算部が演算した位置を利用して各温度センサと各空調機とを関連付ける関連付け部と
を備える空調システム。
【請求項２】
前記関連付け部は、認識された位置を利用して制御影響度を演算し、当該制御影響度を利用して各温度センサと各空調機とを関連付ける機能を発揮可能であり、
前記制御影響度は、各空調機が生成する空調能力の変化に対する各温度センサの変化の度合いを示す請求項１に記載の空調システム。
【請求項３】
前記関連付け部は、認識した位置を利用して各温度センサと各空調機との距離を演算し、当該距離を利用して前記制御影響度を決定する請求項２に記載の空調システム。
【請求項４】
前記複数の空調機のうち必要な空調能力が発揮されていない空調機があるか否かを判断する稼働判断部を備えており、
前記関連付け部は、前記稼働判断部により必要な空調能力が発揮されていない空調機があると判断されたときに、各温度センサと各空調機とを関連付ける請求項１ないし３のいずれか１項に記載の空調システム。
【請求項５】
前記位置算部が演算した位置が前回演算した位置に対して予め決められた値を超えて変化したか否かを判断する位置判断部を備え、
前記関連付け部は、少なくとも前記位置判断部により変化したと判断されたときに、各温度センサと各空調機とを関連付ける請求項１ないし４のいずれか１項に記載の空調システム。
【請求項６】
空調風を供給する複数の空調機と、
空気温度を検出する複数の温度センサであって、無線信号を発信可能な複数の温度センサと、
前記複数の温度センサそれぞれが発信する無線信号を利用して、各温度センサと各空調機との距離を演算する距離演算部と、
前記距離演算部が演算した距離が最も短くなるように各温度センサと各空調機とを関連付ける関連付け部と
を備える空調システム。
【請求項７】
前記空調機が少なくとも３台設けられている請求項６に記載の空調システム。
【手続補正書】
【提出日】令和3年2月9日(2021.2.9)
【手続補正１】
【補正対象書類名】明細書
【補正対象項目名】００２３
【補正方法】変更
【補正の内容】
【００２３】
バックライト１２は、光を発する。発せられた光の一部は、表示パネル１０及びバリアパネル１１を透過する。表示パネル１０は、入力された画像信号に応じた光透過率の面内分布を有する。バリアパネル１１は、入力された制御信号に応じた光透過率の観察方向依存性を有する。これらにより、入力された画像信号、入力された制御信号及び観察方向に応じた画像が表示装置１に表示される。
【手続補正２】
【補正対象書類名】明細書
【補正対象項目名】００７０
【補正方法】変更
【補正の内容】
【００７０】
有機ＥＬ発光層３０２は、透明カバー３００と基板３０１との間に保持される。第１の画素１２０及び第２の画素１２１は、交互に並べられた状態で左右方向に配列される。第１の画素１２０には、互いに分割された第１の透明電極により、表示パネル１０に入力された画像信号に応じた駆動電圧が印加される。第２の画素１２１には、互いに分割された第２の透明電極により、表示パネル１０に入力された画像信号に応じた駆動電圧が印加される。第１の画素１２０及び第２の画素１２１は、印加された駆動電圧に応じた強度を有する光を発する。
【手続補正３】
【補正対象書類名】明細書
【補正対象項目名】００８１
【補正方法】変更
【補正の内容】
【００８１】
膜１３１は、第１の画素１２０を通り第１の方向Ｄ１に向かう光路上に配置される開口１４１を有し、第１の画素１２０を通り第１の方向Ｄ１と異なる第２の方向Ｄ２に向かう光路上に配置される非開口部分１４０を有する。これにより、膜１３１の状態が透過状態である場合は、第１の画素１２０を通り第１の方向Ｄ１に向かう光Ｌ１１が開口１４１を通過して助手席に届く。また、第１の画素１２０を通り第２の方向Ｄ２に向かう光Ｌ１２が非開口部分１４０を透過して運転席に届く。一方、膜１３１の状態が遮光状態である場合は、第１の画素１２０を通り第１の方向Ｄ１に向かう光Ｌ１１が開口１４１を通過して助手席に届く。しかし、第１の画素１２０を通り第２の方向Ｄ２に向かう光Ｌ１２が非開口部分１４０を透過せず運転席に届かない。
【手続補正４】
【補正対象書類名】明細書
【補正対象項目名】００８６
【補正方法】変更
【補正の内容】
【００８６】
実施の形態４の発明によれば、実施の形態１の発明と同様に、表示パネル１０と可視光線を遮るバリアとなる膜１３１との間の要素を減らすことができる。このため、バリアを表示パネル１０に近づけることができる。これにより、視野角を広い視野角と狭い視野角との間で切り替えることができ、視野角を狭い視野角に切り替えた場合に視野角が過剰に狭くなることを抑制することができる表示装置４を提供することができる。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
放電事故により発生するノイズを検出するために設定されたターゲット周波数における出力を検出する検出部と、
ノイズ出力の有無の判定基準となる閾値を設定するために用いられる閾値設定手段と、を備え、
前記閾値が複数の中から選択可能である放電検出ユニット。
【請求項２】
ノイズ出力の有無の判定基準となる閾値を設定する際に操作する設定操作部を放電検出ユニットの筐体の外側から操作可能とした請求項１に記載の放電検出ユニット。
【請求項３】
ターゲット周波数を変更するために用いられるターゲット周波数変更手段を備えた請求項１又は２に記載の放電検出ユニット。
【請求項４】
記憶部と制御部を備え、記憶部に記憶された情報を読み取り、前記読み取られた情報を基に閾値設定手段で閾値を設定するように制御部で制御する請求項１から３の何れかに記載の放電検出ユニット。
【請求項５】
放電事故により発生するノイズを検出するために設定されたターゲット周波数における出力を検出する検出部と、
ノイズ出力の有無の判定基準となる閾値を設定するために用いられる閾値設定手段と、
ノイズ出力の有無の判定基準となる時間を設定するための時間設定手段と、
を備えた放電検出ユニット。
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
少なくとも第１の方向の磁場を検出可能な第１の検出軸及び第２の方向の磁場を検出可能な第２の検出軸を有し、少なくとも前記第１の方向の磁場に応じた第１の検出信号と前記第２の方向の磁場に応じた第２の検出信号とを含む各検出信号を時分割処理し、検出信号の信号レベルが設定される基準レベルを上回る回数が２回以上に設定される設定回数連続した場合に前記磁場を検出したと判定する磁気センサ回路であって、
前記第１の検出信号を出力する第１の磁気センサ及び前記第２の検出信号を出力する第２の磁気センサを含む少なくとも２個の磁気センサを有する磁気検出部と、
前記磁気検出部が有する前記少なくとも２個の磁気センサから何れか１個の磁気センサを選択するセンサ選択信号を受ける選択信号入力端と、前記磁気検出部が有する前記少なくとも２個の磁気センサの各々と接続される検出信号入力端と、前記検出信号入力端から入力される各検出信号のうち何れか１個の検出信号を出力する出力端とを有し、入力される前記センサ選択信号に応じて前記検出信号入力端から入力される各検出信号のうち何れか１個の検出信号を前記出力端から出力する切替回路と、
入力される前記１個の検出信号の信号レベルと前記基準レベルとを比べ、前記１個の検出信号の信号レベルが前記基準レベルと同じ又は前記基準レベルを下回ることを示す第１の結果信号と、前記１個の検出信号の信号レベルが前記基準レベルを上回ることを示す第２の結果信号とを出力する比較器と、
入力される前記第１の結果信号及び前記第２の結果信号と、前記第２の結果信号が連続して入力された回数とに基づいて前記センサ選択信号を生成し、生成した前記センサ選択信号を前記選択信号入力端へ供給する制御回路と、を備えることを特徴とする磁気センサ回路。
【請求項２】
前記切替回路と前記比較器との間に接続され、前記１個の検出信号を増幅して出力する増幅器を備える請求項１記載の磁気センサ回路。
【手続補正２】
【補正対象書類名】明細書
【補正対象項目名】０００９
【補正方法】変更
【補正の内容】
【０００９】
本発明に係る磁気センサ回路は、上述した課題を解決するため、少なくとも前記第１の方向の磁場に応じた第１の検出信号と前記第２の方向の磁場に応じた第２の検出信号とを含む各検出信号を時分割処理し、検出信号の信号レベルが設定される基準レベルを上回る回数が２回以上に設定される設定回数連続した場合に前記磁場を検出したと判定する磁気センサ回路であって、前記第１の検出信号を出力する第１の磁気センサ及び前記第２の検出信号を出力する第２の磁気センサを含む少なくとも２個の磁気センサを有する磁気検出部と、前記磁気検出部が有する前記少なくとも２個の磁気センサから何れか１個の磁気センサを選択するセンサ選択信号を受ける選択信号入力端と、前記磁気検出部が有する前記少なくとも２個の磁気センサの各々と接続される検出信号入力端と、前記検出信号入力端から入力される各検出信号のうち何れか１個の検出信号を出力する出力端とを有し、入力される前記センサ選択信号に応じて前記検出信号入力端から入力される各検出信号のうち何れか１個の検出信号を前記出力端から出力する切替回路と、入力される前記１個の検出信号の信号レベルと前記基準レベルとを比べ、前記１個の検出信号の信号レベルが前記基準レベルと同じ又は前記基準レベルを下回ることを示す第１の結果信号と、前記増幅された検出信号の信号レベルが前記基準レベルを上回ることを示す第２の結果信号とを出力する比較器と、入力される前記第１の結果信号及び前記第２の結果信号と、前記第２の結果信号が連続して入力された回数とに基づいて前記センサ選択信号を生成し、生成した前記センサ選択信号を前記選択信号入力端へ供給する制御回路と、を備えることを特徴とする。
【手続補正３】
【補正対象書類名】明細書
【補正対象項目名】００１２
【補正方法】変更
【補正の内容】
【００１２】
以下、本発明の実施形態に係る磁気センサ回路を、図面を参照して説明する。
図１は、実施形態に係る磁気センサ回路１の回路図である。
磁気センサ回路１は、少なくとも第１の方向としてのｘ軸方向の磁場を検出可能な第１の検出軸としてのｘ軸及び第２の方向としてのｙ軸方向の磁場を検出可能な第２の検出軸としてのｙ軸の２本の検出軸を有し、少なくともｘ軸方向の磁場に応じた第１の検出信号及びｙ軸方向の磁場に応じた第２の検出信号を時分割処理する磁気センサ回路である。図１に示される磁気センサ回路１は、少なくとも２本の検出軸の一例として、ｘ軸、ｙ軸及びｚ軸の互いに直交する３本の検出軸を有する、検出軸が３軸の磁気センサ回路である。
【手続補正４】
【補正対象書類名】明細書
【補正対象項目名】００３１
【補正方法】変更
【補正の内容】
【００３１】
磁気センサ回路１では、まず、ｘ軸磁気センサ１１、ｙ軸磁気センサ１２及びｚ軸磁気センサ１３が磁場を検出し、検出した磁場に基づく検出信号を切替回路２０へ出力する。切替回路２０は、センサ選択信号Ｓｆが表す磁気センサを選択し、選択した磁気センサから入力される検出信号を出力する。
【手続補正５】
【補正対象書類名】明細書
【補正対象項目名】００３４
【補正方法】変更
【補正の内容】
【００３４】
ここで、Ｌレベルの信号は、例えば、入力される検出信号の信号レベルが設定される基準レベルと同じ又は基準レベルを下回っている、すなわち入力される検出信号の信号レベルが設定される基準レベルを上回っていない第１の結果を示す信号（以下、「第１の結果信号」とする）である。また、Ｈレベルの信号は、入力される検出信号の信号レベルが設定される基準レベルを上回っている第２の結果を示す信号（以下、「第２の結果信号」とする）である。Ｈレベルの信号は、図３（Ｅ）において、パルスとして表されている。
比較器出力信号Ｓｄが第１の結果信号である場合、選択されている磁気センサによって検出される磁束密度が復帰点を下回っていることを意味する。比較器出力信号Ｓｄが第２の結果信号である場合、上記磁束密度が動作点を上回っていることを意味する。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
複数の繊維状の遮光部及び複数の前記遮光部の間に形成された透光部を有するシート状の装飾部材と、
前記装飾部材の背面側に配置されて、入射した光の少なくとも一部を反射するシート状の反射部材と、を有し、
前記反射部材の表面にグラデーション又は模様を形成した表示板。
【請求項２】
前記グラデーション又は前記模様は、メッキ又は箔で形成されている請求項１に記載の表示板。
【請求項３】
前記グラデーション又は前記模様は、インクジェット印刷で形成されている請求項１に記載の表示板。
【請求項４】
前記装飾部材は、前記反射部材における視認側の表面に、接着剤により接着されて配置されている請求項１から３のうちいずれか１項に記載の表示板。
【請求項５】
前記装飾部材は和紙である請求項１から４のうちいずれか１項に記載の表示板。
【請求項６】
前記反射部材は、視認側から入射した光又は電波の少なくとも一部を透過させる特性を有する請求項１から５のうちいずれか１項に記載の表示板。
【請求項７】
請求項１から６のうちいずれか１項に記載の表示板を文字板として搭載した時計。
【手続補正書】
【提出日】令和3年1月14日(2021.1.14)
【手続補正１】
【補正対象書類名】明細書
【補正対象項目名】００４４
【補正方法】変更
【補正の内容】
【００４４】
また、透明導電膜７は、導電性部材により、接地電位に接続されている。すなわち、透明導電膜７は、接地されている。当該導電性部材は、例えば、導電性ペースト、導電性テープ等である。以下においては、平面視において、液晶パネル５のうち、表示領域５ａ以外の領域を、「額縁領域」または「非表示領域」ともいう。導電性部材は、額縁領域に設けられている。
【誤訳訂正書】
【提出日】令和3年4月30日(2021.4.30)
【誤訳訂正１】
【訂正対象書類名】特許請求の範囲
【訂正対象項目名】請求項１
【訂正方法】変更
【訂正の内容】
【請求項１】
反射防止膜を形成するための硬化性組成物であって、
（ａ）中空シリカナノ粒子；
（ｂ）反応性基を有するシロキサンバインダー；
（ｃ）反応性基を有する少なくとも１種の追加の材料；
（ｄ）開始剤；及び
（ｅ）溶媒
を含み、
（ｉ）前記シロキサンバインダーは、（シロキサンバインダー＋反応性基を有する追加の材料）の総重量の少なくとも５０重量％の量で存在し；及び
（ｉｉ）（シロキサンバインダー＋反応性基を有する追加の材料）の合計に対する中空シリカナノ粒子の重量比は、１．７５以下：１である、硬化性組成物。
【誤訳訂正２】
【訂正対象書類名】特許請求の範囲
【訂正対象項目名】請求項９
【訂正方法】変更
【訂正の内容】
【請求項９】
（シロキサンバインダー＋反応性基を有する追加の材料）の合計に対する中空シリカナノ粒子の重量比は、１．５０以下：１である、請求項１に記載の硬化性組成物。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
法律文書の入力を一のユーザを識別するＩＤであるユーザＩＤと紐づけて受付ける法律文書入力受付部と、
受付けた法律文書を所定単位でレビューするレビュー部と、
レビュー結果を出力するレビュー結果出力部と、を有し、
前記レビュー結果出力部は、前記ユーザＩＤを同じくする他の法律文書のレビュー結果に基づいて評価を出力する相対評価出力手段を有する
法律文書レビュー支援システム。
【請求項２】
請求項１に記載の法律文書レビュー支援システムであって、
前記レビュー部は、予め前記法律文書において確認しておくべき法的事項を判定ルールとして保持しており、当該判定ルールと前記法律文書の内容を照らし合わせる処理を行う、
法律文書レビュー支援システム。
【請求項３】
請求項１又は請求項２に記載の法律文書レビュー支援システムであって、
前記レビュー結果出力部は、前記ユーザが関与した前記他の法律文書のレビュー結果の全部又は一部を表示する、
法律文書レビュー支援システム。
【請求項４】
請求項３に記載の法律文書レビュー支援システムであって、
前記レビュー結果出力部は、前記他の法律文書の前記レビュー結果の内容を、受付けた前記法律文書の該当部分に修正例として転記する、
法律文書レビュー支援システム。
【請求項５】
法律文書の入力を一のユーザを識別するＩＤであるユーザＩＤと紐づけて受付ける法律文書入力受付ステップと、
受付けた法律文書を所定単位でレビューするレビューステップと、
レビュー結果を出力するレビュー結果出力ステップと、
を有し、レビュー結果出力ステップは、
ユーザＩＤを同じくする他の法律文書のレビュー結果との相対的な評価を出力する相対評価出力サブステップを有する
法律文書レビュー支援システムの動作方法。
【請求項６】
法律文書の入力を一のユーザを識別するＩＤであるユーザＩＤと紐づけて受付ける法律文書入力受付ステップと、
受付けた法律文書を所定単位でレビューするレビューステップと、
レビュー結果を出力するレビュー結果出力ステップと、
を有し、レビュー結果出力ステップは、
ユーザＩＤを同じくする他の法律文書のレビュー結果との相対的な評価を出力する相対評価出力サブステップを有する
法律文書レビュー支援プログラム。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
物体検出装置（２１，２２）により検出された自車（５０）の周囲の物体と前記自車との衝突を判定する衝突判定に基づいて、前記物体と前記自車との衝突を回避する衝突回避制御を実行する運転支援装置（３０）であって、
前記自車の周囲の物体を検知する物体検知部（３２）と、
前記物体検知部により検知された移動体である遮蔽物体（５１，５３〜５５）によって遮蔽された前記自車の死角に位置する領域に死角領域（６０，６３〜６６）を設定する死角領域設定部（３３）と、
前記死角領域を含み、前記遮蔽物体の移動方向、または、前記遮蔽物体の走行状態に基づいて推定された前記遮蔽物体の移動軌跡に沿って前記死角領域よりも拡張された早出し領域（７０〜７３，７５，７６）を設定する早出し領域設定部（３４）と、
前記早出し領域内で検知された物体についての前記衝突判定を、前記早出し領域外で検知された物体についての前記衝突判定よりも早期化する衝突判定部（３５）と、を備える運転支援装置。
【請求項２】
前記早出し領域設定部は、前記自車の移動方向に検知された前記遮蔽物体について設定された前記死角領域について前記早出し領域を設定する請求項１に記載の運転支援装置。
【請求項３】
前記死角領域設定部は、前記自車に対して前記遮蔽物体の奥側に前記死角領域を設定する請求項１または２に記載の運転支援装置。
【請求項４】
前記死角領域設定部は、前記遮蔽物体の外縁を示す検知点（５１Ｌ，５１Ｒ）との前記自車との角度に基づいて前記死角領域を設定する請求項１〜３のいずれかに記載の運転支援装置。
【請求項５】
前記死角領域設定部は、前記自車の死角に位置する領域内で前記遮蔽物体の向きまたは移動方向に略平行な線（６０Ｌ，６３Ｎ）により区画された前記死角領域を設定する請求項１〜３のいずれかに記載の運転支援装置。
【請求項６】
前記早出し領域設定部は、前記死角領域に対して、前記自車の走行状態に基づいて推定された前記自車の移動軌跡と、前記遮蔽物体の走行状態に基づいて推定された前記遮蔽物体の移動軌跡とが重なる位置に向かって拡張した前記早出し領域を設定する請求項１〜５のいずれかに記載の運転支援装置。
【請求項７】
前記早出し領域設定部は、前記死角領域に対して、前記自車の走行状態に基づいて推定された前記自車の移動軌跡に近い側に向かって拡張した前記早出し領域を設定する請求項１〜５のいずれかに記載の運転支援装置。
【請求項８】
前記早出し領域設定部は、前記自車が交差点に向かって移動する場合には、前記死角領域に対して、前記自車に近い側に向かって拡張した前記早出し領域を設定する請求項１〜５のいずれかに記載の運転支援装置。
【請求項９】
前記早出し領域設定部は、前記自車が交差点に向かって移動する場合には、前記死角領域に対して、前記自車の走行状態に基づいて推定された前記自車の移動軌跡に沿って拡張した前記早出し領域を設定する請求項１〜５のいずれかに記載の運転支援装置。
【請求項１０】
前記早出し領域設定部は、前記遮蔽物体の速度と、前記自車に対する前記遮蔽物体の相対速度との少なくともいずれか一方に基づいて、前記早出し領域の大きさを決定する請求項１〜９のいずれかに記載の運転支援装置。
【請求項１１】
前記早出し領域設定部は、前記死角領域内に前記遮蔽物体以外の物体が存在し得る空間があると判定された場合に、前記早出し領域を設定する請求項１〜１０のいずれかに記載の運転支援装置。
【請求項１２】
物体検出装置（２１，２２）により検出された自車（５０）の周囲の物体と前記自車との衝突を判定する衝突判定に基づいて、前記物体と前記自車との衝突を回避する衝突回避制御を実行する運転支援装置（３０）であって、
前記自車の周囲の物体を検知する物体検知部（３２）と、
前記物体検知部により検知された遮蔽物体（５１，５３〜５５）によって遮蔽された前記自車の死角に位置する領域に死角領域（６０，６３〜６６）を設定する死角領域設定部（３３）と、
前記死角領域を含み、前記死角領域よりも拡張された早出し領域（７０〜７３，７５，７６）を設定する早出し領域設定部（３４）と、
前記早出し領域内で検知された物体についての前記衝突判定を、前記早出し領域外で検知された物体についての前記衝突判定よりも早期化する衝突判定部（３５）と、を備え、
前記早出し領域設定部は、前記死角領域内に前記遮蔽物体以外の物体が存在し得る空間があると判定された場合に、前記早出し領域を設定する運転支援装置。
【請求項１３】
前記早出し領域設定部は、前記自車が交差点に向かって移動する場合には、前記死角領域内に前記遮蔽物体以外の物体が存在し得る空間があることの判定結果に関わらず、前記早出し領域を設定する請求項１１または１２に記載の運転支援装置。